【手続補正書】
【提出日】平成30年2月23日(2018.2.23)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
前記ビデオデータが色空間変換を使用して符号化されたかどうかを決定するステップと、
第1の量子化パラメータ(QP)に対する第1の値を決定するステップと、
前記第2のQPに対する第2の値を決定するステップと、
色空間変換が前記ビデオデータの符号化に使用されなかったものと決定することに応答して、
前記第1のQPの前記第1の値を使用して前記第1の色成分の前記データを逆量子化するステップ、および
前記第2のQPの前記第2の値を使用して前記第2の色成分の前記データを逆量子化するステップと、
前記ビデオデータが色空間変換を使用して符号化されたものと決定することに応答して、
前記第1のQPの前記第1の値に第1のオフセットを加えることで得られた第1のオフセットQPを使用して前記ビデオデータの前記第1の色成分の前記データを逆量子化するステップ、および
前記第1のQPの前記第2の値に第2のオフセットを加えることで得られた第2のオフセットQPを使用して前記ビデオデータの第2の色成分の前記データを逆量子化するステップであって、前記第1のオフセットが前記第2のオフセットと異なり、前記第2のQPの前記第2のオフセットが前記第1のQPの前記第1のオフセットと異なる、ステップと、
を含む、方法。
【請求項２】
前記ビデオデータが色空間変換を使用して符号化されたとき、前記ビデオデータに対する量子化プロセスおよび変換プロセスのために使用されるビット深度を2だけ増加するステップをさらに含み、前記第1のオフセットが8に等しいか、または、
前記ビデオデータが色空間変換を使用して符号化されたとき、前記ビデオデータに対する量子化プロセスおよび変換プロセスのために使用されるビット深度を1だけ増加するステップをさらに含み、前記第1のオフセットが2に等しく、
前記第1の色成分がルーマ成分であり、前記第2の色成分がクロマ成分である、
請求項1に記載の方法。
【請求項３】
前記ビデオデータが色空間変換を使用して符号化されたかどうかを決定するステップが、
前記ビデオデータのコーディングユニットの、前記コーディングユニットが色空間変換を使用して符号化されたかどうかを示す構文要素を復号するステップと、
前記構文要素の値が、前記ビデオデータが色空間変換を使用して符号化されたことを示すかどうかを決定するステップと、
前記構文要素が、前記コーディングユニットが色空間変換を使用してコーディングされたことを示すものと決定することに応答して、色空間逆変換プロセスを適用するステップとを含み、前記構文要素が1ビットフラグを含み、前記構文要素に対する1の値が、前記コーディングユニットが色空間変換を使用して符号化されたことを示す、
請求項1に記載の方法。
【請求項４】
前記構文要素が、前記コーディングユニットがイントラパルス符号変調(IPCM)モード以外のモードでコーディングされるときにのみ、前記コーディングユニットが色空間変換を用いてコーディングされたことを示すようにシグナリングされ、かつ／または、
前記構文要素が、前記コーディングユニットの変換単位内に非ゼロ係数が存在するときに前記コーディングユニットが色空間変換を使用して符号化されたことを示し、かつ／または、
前記構文要素が、前記コーディングユニットがイントラコーディングされるとき、および前記コーディングユニット内の予測単位のルーマ予測モードおよびクロマ予測モードが異なるとき、前記コーディングユニットが色空間変換を使用して符号化されなかったことを示し、前記構文要素が、前記ビデオデータを含む受信されたビットストリーム内に存在せず、前記構文要素を復号するステップが、前記構文要素の前記値を推測するステップを含み、かつ／または、
前記構文要素が、前記コーディングユニットがパレットモードでコーディングされるときに前記コーディングユニットが色空間変換を使用して符号化されなかったことを示し、前記構文要素が、前記ビデオデータを含む受信されたビットストリーム内に存在せず、前記構文要素を復号するステップが、前記構文要素の前記値を推測するステップを含む、
請求項3に記載の方法。
【請求項５】
前記ビデオデータが色空間変換を使用して符号化されたものと決定することに応答して、色空間逆変換プロセスを前記コーディングユニットに適用するステップであって、前記色空間逆変換プロセスが、元のYCoCg-R逆変換行列を含むか、または、修正されたYCoCg逆変換行列を含むか、または、元のYCoCg変換行列を含む、ステップをさらに含み、
前記色空間逆変換プロセスが修正されたYCoCg逆変換行列を含む場合、前記修正されたYCoCg逆変換行列の係数が、丸めオフセットによって2ビット右シフトした後、元のYCoCg逆変換行列の係数に等しく設定され、前記修正されたYCoCg行列が、2に等しいオフセットを有し、または、
前記色空間逆変換プロセスが元のYCoCg変換行列を含む場合、前記方法はさらに、正規化プロセスを前記ビデオデータに適用するステップを含む、
請求項1に記載の方法。
【請求項６】
ビデオデータを記憶するように構成されたメモリと、
1つまたは複数のプロセッサとを備え、前記1つまたは複数のプロセッサが、
前記ビデオデータが色空間変換を使用して符号化されたかどうかを決定することと、
前記ビデオデータが色空間変換を使用して符号化されたものと決定することに応答して、
第1の量子化パラメータ(QP)の第1のオフセットを使用して前記ビデオデータの第1の色成分のデータを逆量子化すること、および
第2のQPの第2のオフセットを使用して前記ビデオデータの第2の色成分のデータを逆量子化することとを行うように構成され、前記第2の色成分が前記第1の色成分と異なり、前記第2のQPの前記第2のオフセットが、前記第1のQPの前記第1のオフセットと異なり、前記第1のオフセットおよび前記第2のオフセットが、前記ビデオデータを符号化するために使用される色空間変換プロセスによって決まる、ビデオ復号デバイス。
【請求項７】
前記構文要素が、IPCMモード以外のモードを使用するコーディングユニットに対してだけシグナリングされる、請求項6に記載のビデオ復号デバイス。
【請求項８】
命令を含むコンピュータ可読記憶媒体であって、前記命令が、実行されるとき、ビデオ復号デバイスの1つまたは複数のプロセッサに、請求項1乃至5、9乃至13、または15の何れか1項に記載の方法を実施させる、コンピュータ可読記憶媒体。
【請求項９】
ビデオデータを符号化する方法であって、
前記ビデオデータを符号化するために色空間変換を使用するかどうかを決定するステップと、
前記ビデオデータを符号化するために色空間変換を使用することを決定することに応答して、
第1の量子化パラメータ(QP)の第1のオフセットを使用して前記ビデオデータの第1の色成分のデータを量子化するステップ、および
第2のQPの第2のオフセットを使用して前記ビデオデータの第2の色成分のデータを量子化するステップとを含み、前記第2の色成分が前記第1の色成分と異なり、前記第2のQPの前記第2のオフセットが、前記第1のQPの前記第1のオフセットと異なり、前記第1のオフセットおよび前記第2のオフセットが、前記ビデオデータを符号化するために使用される色空間変換プロセスによって決まる、方法。
【請求項１０】
前記ビデオデータの符号化に色空間変換を使用することを決定することに応答して、
前記ビデオデータに対する量子化プロセスおよび変換プロセスのために使用されるビット深度を2だけ増加するステップであって、前記第1のオフセットが8に等しい、ステップ、または、
前記ビデオデータに対する量子化プロセスおよび変換プロセスのために使用されるビット深度を1だけ増加するステップであって、前記第1のオフセットが2に等しい、ステップ、
をさらに含み、
前記第1の色成分がルーマ成分であり、前記第2の色成分がクロマ成分である、
請求項9に記載の方法。
【請求項１１】
前記ビデオデータを符号化するために色空間変換を使用することを決定することに応答して、前記ビデオデータが色空間変換を使用して符号化されたことを示す構文要素の値を設定するステップをさらに含み、前記構文要素が1ビットフラグを含み、前記構文要素に対する1の値が、前記コーディングユニットが色空間変換を用いてコーディングされたことを示す、請求項9に記載の方法。
【請求項１２】
前記構文要素が、前記コーディングユニットがイントラパルス符号変調(IPCM)モード以外のモードでコーディングされるときにのみ、前記コーディングユニットが色空間変換を用いてコーディングされたことを示すようにシグナリングされ、かつ／または、
前記構文要素が、前記コーディングユニットの変換単位内に非ゼロ係数が存在するときに前記コーディングユニットが色空間変換を使用して符号化されたことを示し、かつ／または、
前記構文要素が、前記コーディングユニットがイントラコーディングされるとき、および前記コーディングユニット内の予測単位のルーマ予測モードおよびクロマ予測モードが異なるとき、シグナリングされず、かつ／または、
前記構文要素が、前記コーディングユニットがパレットモードでコーディングされるときにシグナリングされない、
請求項11に記載の方法。
【請求項１３】
前記ビデオデータを符号化するために色空間変換を使用することを決定することに応答して、前記色空間変換プロセスを前記コーディングユニットに適用するステップであって、前記色空間変換プロセスが、元のYCoCg-R変換行列を含むか、または、修正されたYCoCg逆変換行列を含むか、または、元のYCoCg変換行列を含む、ステップをさらに含み、
前記色空間逆変換プロセスが修正されたYCoCg逆変換行列を含む場合、前記修正されたYCoCg変換行列の係数が、丸めオフセットによって2ビット右シフトした後、元のYCoCg逆変換行列の係数に等しく設定され、前記修正されたYCoCg行列が、2に等しいオフセットを有し、または、
前記色空間変換プロセスが元のYCoCg変換行列を含む場合、前記方法はさらに、正規化プロセスを前記ビデオデータに適用するステップを含む、
請求項9に記載の方法。
【請求項１４】
ビデオデータを記憶するように構成されたメモリと、
1つまたは複数のプロセッサとを備え、前記1つまたは複数のプロセッサが、
前記ビデオデータを符号化するために色空間変換を使用するかどうかを決定することと、
前記ビデオデータを符号化するために色空間変換を使用することを決定することに応答して、
第1の量子化パラメータ(QP)の第1のオフセットを使用して前記ビデオデータの第1の色成分のデータを量子化すること、および
第2のQPの第2のオフセットを使用して前記ビデオデータの第2の色成分のデータを量子化することとを行うように構成され、前記第2の色成分が前記第1の色成分と異なり、前記第2のQPの前記第2のオフセットが、前記第1のQPの前記第1のオフセットと異なり、前記第1のオフセットおよび前記第2のオフセットが、前記ビデオデータを符号化するために使用される色空間変換プロセスによって決まる、ビデオ符号化デバイス。
【請求項１５】
前記第1のQPと前記第2のQPとの間の差が、前記ビデオデータを符号化するために使用される色空間変換プロセスのノルムによって決まる、請求項1または9に記載の方法、または、請求項6に記載のビデオ復号デバイスまたは請求項13に記載のビデオ符号化デバイス。